(57)【特許請求の範囲】
【請求項１】
開放端を有する切れ込みを導体板の１辺に設けた長方形の第１の導体板と、
前記第１の導体板に対向して配置される長方形の第２の導体板と、
前記第１の導体板と前記第２の導体板を前記開放端の反対側の辺で接続する第３の導体板と、
前記切れ込みを跨いだ２点で芯線とグランドが接続される給電線とを備えるスロットアンテナ。
【請求項２】
前記切れ込みは前記第１の導体板の長辺の端部付近に配置されることを特徴とする請求項１記載のスロットアンテナ
【請求項３】
前記第１の導体板の有する切れ込みの長さが第１の周波数帯の中心周波数に相当する波長の１／４の長さを有し、
前記切れ込みを有さない第１の導体板の１辺の長さが第２の周波数帯の中心周波数に相当する波長の１／４の長さを有することを特徴とする請求項１又は２記載のスロットアンテナ。
【請求項４】
前記第１の導体板の有する切れ込みは、Ｌ字型であることを特徴とする請求項１乃至３のいずれか１項に記載のスロットアンテナ。
【請求項５】
前記第１の導体板は、前記第３の導体板と接続されている一辺と前記開放端を有する一辺以外の一辺であって前記切れ込みに近い側の辺に開放端を有する切れ込みを有することを特徴とする請求項１乃至４のいずれか１項に記載のスロットアンテナ。
【請求項６】
請求項１乃至５のいずれか１項に記載のスロットアンテナと、
前記スロットアンテナを含む筺体と、を備える電子機器。
【請求項７】
前記筺体は、前記スロットアンテナをＭ個（Ｍは２以上の整数）含み、少なくとも１つのスロットアンテナの切れ込みと、他のスロットアンテナの切れ込みが異なる面に配置されることを特徴とする請求項６に記載の電子機器。
【請求項８】
前記筺体は、前記スロットアンテナをＭ個（Ｍは２以上の整数）含み、Ｍ個のスロットアンテナの切れ込みが同じ面に配置されることを特徴とする請求項６に記載の電子機器。
【請求項９】
表示画面を有する表示部をさらに備え、
前記スロットアンテナは、表示部の周囲に配置されることを特徴とする請求項６乃至８のいずれか１項に記載の電子機器。
【請求項１０】
導体板の１辺に開放端を有する切れ込みを形成するステップと、
前記導体板を加工し、前記切れ込みを形成し、さらに切れ込みを跨いだ２点で芯線とグランドを接続した給電線を設けた第１の導体板と、前記第１の導体板に対向して配置される第２の導体板と、前記第１の導体板と前記第２の導体板を接続する第３の導体板を備えるスロットアンテナを形成するステップと、を備えるスロットアンテナ製造方法。
【発明の詳細な説明】
【技術分野】
【０００１】
本発明はスロットアンテナ及び電子機器に関し、特に複共振特性を有するスロットアンテナ、そのスロットアンテナを含む電子機器及びそのスロットアンテナの製造方法に関する。
【背景技術】
【０００２】
近年、携帯無線端末の小型・薄型化に伴い、端末の剛性を確保するために金属製の筐体を用いた技術が幾つか公開されている。【０００３】
また、近年の携帯無線端末は小型・薄型化と並行して、搭載される無線機能の増大、高機能化が進んでいる。このため、小型薄型の金属筐体に複数のアンテナを搭載する必要性が出てきているが、アンテナ実装スペースの制約からアンテナと金属の距離が非常に近くなる。一般にアンテナの近くに金属が配置されるとアンテナ特性が大きく劣化し、無線端末としての機能を満たさなくなるという問題がある。【０００４】
このような問題に対して、金属が近くにあってもアンテナを動作させる技術として、金属筐体に細長い切れ込み（スロット）を設けて、これをアンテナとして動作させる技術が公示されている。一般的にスロットアンテナは狭帯域な特性であるので、複数のスロットを用いて複共振化させることで広帯域化を図る技術が周知となっている。【０００５】
特許文献１では、複数のスロットを形成し、複共振特性を実現したアンテナ装置が開示されている。この特許文献１のアンテナは、基板の縁端からの切れ込みにより構成されたノッチアンテナと、ノッチアンテナと平行に切り込まれた若干短めの無給電ノッチアンテナとで構成される。【０００６】
特許文献２には、２枚の導体板が対向して設けられ、各々の導体板はその１辺において他の導体板を介して接続されている。この２枚の導体板の一方には、他の導体板と接続する１辺に対向する１辺に開放端を有する隙間部（スリット）が形成されている。コンデンサＣ１、Ｃ２は隙間部を挟む位置に配置され、２枚の導体板間に接続されている。この特許文献２のアンテナは、隙間部が形成された導体板の隙間部の両サイドの領域により２つの共振を実現しており、コンデンサＣ１、Ｃ２によって調整している。
【先行技術文献】
【特許文献】
【０００７】
【特許文献１】特開２００４−０５６４２１号公報
【特許文献２】特開平９−１６２６３４号公報
【発明の概要】
【発明が解決しようとする課題】
【０００８】
しかし、特許文献１の技術では、複数のスロットを配置することでアンテナの実装スペースが大きくなるという問題がある。また、特許文献１のアンテナ構成は一方のスロットを電磁結合により動作させる構成である。この構成は２つのスロット間の距離によってアンテナ特性が大きく変化するため、特性の調整が難しいという問題がある。さらに、特許文献２のアンテナ構成はマイクロストリップアンテナ構成であり、文献内に記載されているスリットはアンテナとしては動作しない構成である。そのため、本構成をアンテナとして動作させるためにはアンテナ素子を形成している導体板の周囲にある程度の空間が必要となる。このためアンテナの実装スペースが大きくなるという問題と、文献２のアンテナを金属筐体に適用するのは困難という問題がある。【０００９】
そこで、本発明はこのような問題点を解決するためになされたものであり、少ない実装スペースで複共振を得るスロットアンテナ、電子機器及びスロットアンテナ製造方法を提供することを目的とする。
【課題を解決するための手段】
【００１０】
本発明の第１の態様にかかるスロットアンテナは、開放端を有する切れ込みを導体板の１辺に設けた長方形の第１の導体板と、前記第１の導体板に対向して配置される長方形の第２の導体板と、前記第１の導体板と前記第２の導体板を前記開放端の反対側の辺で接続する第３の導体板と、
前記切れ込みを跨いだ２点で芯線とグランドが接続される給電線とを備えるものである。【００１１】
本発明の第２の態様にかかる電子機器は、実施の態様１に記載のスロットアンテナと、前記スロットアンテナを含む筺体とを備えるものである。【００１２】
本発明の第３の態様にかかるスロットアンテナ製造方法は、導体板の１辺に開放端を有する切れ込みを形成するステップと、前記導体板を加工し、前記切れ込みを跨いだ２点で芯線とグランドを接続した給電線を設けた第１の導体板と、前記第１の導体板に対向して配置される第２の導体板と、前記第１の導体板と前記第２の導体板を接続する第３の導体板を備えるスロットアンテナを形成するステップと、を備えることである。
【発明の効果】
【００１３】
本発明により、少ない実装スペースで複共振を得るスロットアンテナ、電子機器及びスロットアンテナ製造方法を提供することができる。
【図面の簡単な説明】
【００１４】
【図１】実施の形態１にかかるスロットアンテナの構成図である。
【図２】実施の形態１にかかるスロットアンテナの構成図である。
【図３】実施の形態１にかかる給電線の接続図である。
【図４】実施の形態１にかかるスロットアンテナの構成図である。
【図５】実施の形態１にかかる入力インピーダンスの特性を示した図である。
【図６】実施の形態２にかかるスロットアンテナの構成図である。
【図７】実施の形態３にかかるスロットアンテナの構成図である。
【図８】実施の形態４にかかる電子機器の構成図である。
【図９】実施の形態４にかかる電子機器の構成図である。
【図１０Ａ】実施の形態５にかかる電子機器の組み立て方を示した図である。
【図１０Ｂ】実施の形態５にかかる電子機器の組み立て方を示した図である。
【図１１Ａ】実施の形態５にかかる電子機器の組み立て方を示した図である。
【図１１Ｂ】実施の形態５にかかる電子機器の組み立て方を示した図である。
【図１２Ａ】実施の形態５にかかる電子機器の組み立て方を示した図である。
【図１２Ｂ】実施の形態５にかかる電子機器の組み立て方を示した図である。
【発明を実施するための形態】
【００１５】
（実施の形態１）
以下、図面を参照して本発明の実施の形態について説明する。図１は本発明の実施の形態１にかかるスロットアンテナの構造を示す図である。また、図２は本発明の実施の形態１にかかるスロットアンテナを図１のＡ方向から見た図である。本発明の実施の形態１のスロットアンテナは、導体板１０乃至３０と、給電線４０とを備えている。
【００１６】
導体板１０は、給電線４０が設けられ、かつ開放端を有する細長い切れ込み（以下、「スロット」と記載する）を１辺に設けている。ここでスロットの幅はスロットの長さｄ１と比較して充分小さいものとする。また、スロットと同一方向の導体板１０の１辺の長さをｄ２とする。
【００１７】
導体板２０は、導体板１０に対向して配置されている。ここで、導体板１０と導体板２０との大きさは任意の大きさを有するものであり、本発明の実施の形態１では、導体板１０と導体板２０とは同一の大きさを有するものとして説明する。
【００１８】
導体板３０は、スロットの開放端を設けた辺と反対側の辺において、導体板１０と導体板２０とを接続するように配置されている。
【００１９】
次に、給電線４０の接続構成について図３を用いて説明する。給電線４０は特性インピーダンス５０Ωの同軸ケーブルで構成されるものであって、その芯線４１と外皮のグランド導体４２でスロットを跨ぐ様に２箇所で半田付け接続されている。半田付け接続する位置を給電位置としてスロットの開放端からの距離Ｌで示した場合、給電位置Ｌは、Ｚ０×ｃｏｓ２（２πＬ／λｇ）＝５０を満たす位置が望ましい。本式を満たすことにより、アンテナと無線回路（図示せず）の間でインピーダンス整合をとることができる。ここでＺ０≒４８７（Ω）であり、λｇは、ｄ１を１／４波長とする周波数の１波長に相当する電気長である。
【００２０】
次に本実施の形態１にかかるスロットアンテナの動作について説明する。給電線４０から電力を供給するスロットの周囲に電流が励起され、スロットの開放端側で電界が最大となり、スロットの短絡端側で電界が最小となるような定在波が生じる。その共振周波数は、スロット長ｄ１を１／４波長とした周波数となる。また、これとは別の共振として、導体板１０、２０、３０で構成されたコの字型のキャビティ構造に沿って電流が励起され、コの字型構造の開放端側で電界が最大となり、導体板３０の配置した側で電界が最小となるような定在波が生じる。その共振周波数は導体板１０においてスロット開放端のある辺から導体板３０までの距離ｄ２を１／４波長とした周波数となる。
【００２１】
スロットに起因した共振は、スロット幅方向に電界成分を有する共振モードであるのに対して、キャビティ構造に起因した共振は、対向した導体板１０と２０との間で両者の間隔方向に電界成分を有する共振モードである。２つの共振モードの電界成分は互いに直交するため、両者は干渉しないモードであることから、それぞれの共振周波数を個別に調整でき、調整作業を短時間で終了できるという利点がある。
【００２２】
ここで、導体板１０乃至３０の配置について具体的に説明する。導体板１０と導体板２０とは実質的に平行の位置に配置されてもよい。実質的にとしたのは、実際にアンテナを形成する場合において、厳密に平行状態を要求するものではない。また、上記説明では、導体板１０と２０とは同じサイズであるとしたが、これに限らず、導体板１０が導体板２０より大きなサイズであっても良い。また、スロットアンテナの開放端のある辺と導体板２０の辺の位置関係は、スロット開放端のある辺が導体板２０の辺と同じかあるいは外側にあることが望ましい。
【００２３】
また、図１において導体板３０は板状の構成であるとしたが、これに限らず、例えばガスケットのような弾性のある導電性の素材を用いて、導体板１０と２０を電気的に導通させる構造であっても良い。また、細長い棒状の金属を複数個所で離散的に配置して導体板１０と２０を接続する構成であっても良い。そのときの接続間隔は共振周波数に相当する波長の１／１０以下であることが望ましい。また、導体板１０と２０の接続については、細長い棒状の金属を両者に対して半田付け接続しても良く、あるいは板バネのような弾性のある素材を用いて両者を押し当てることで電気的に導通させる構造でもよい。また、導体板３０は少なくとも導体板１０または２０の長辺部分の上端からスロットの配置された位置まで配置され、導体板１０と２０を電気的に導通させることが好ましい。
【００２４】
また、図１においては、導体板３０は長方形の導体板１０及び導体板２０の長辺と接続されているが、そこに限らず導体板１０及び導体板２０の内側に入った面部分で接続されてもよい。
【００２５】
さらに、図４に示すように導体板３０は、Ｌ字型の形状を有し、導体板１０及び２０の長辺及び短辺と接続するように配置されてもよい。
【００２６】
ここで、図５を用いて、本発明の実施の形態１にかかるスロットアンテナの入力インピーダンス特性を示す。縦軸はアンテナからの反射電力量を示し、横軸は周波数を示す。ここで図中の特性曲線において、谷の一番深い部分をアンテナの共振周波数とする。図１のアンテナ構成ではスロットの長さｄ１とキャビティ構造のｄ２の関係はｄ１＜ｄ２であるので、低周波数側の共振周波数ｆ２はキャビティ構造のｄ２で決まる。一方、高周波数側の共振周波数ｆ１は、スロットの長さｄ１で決まる。
【００２７】
以上説明したように、本発明の実施の形態１にかかるスロットアンテナを用いることにより、スロット部分の作用による共振と、導体板１０乃至３０で形成されたキャビティ構造の作用による共振が得られ、複共振化が実現できる。また、本アンテナ構成はキャビティ構造にスロットを１つのみ設けたシンプルな構成であるので、少ない実装スペースにて複共振アンテナを実現することができる。また、本アンテナ構成で得られる２つの共振モードは互いに干渉しないモードであるため、それぞれの共振周波数の調整が容易に行えるという利点がある。
【００２８】
また、導体板３０をＬ字型の形状にし、導体板１０及び２０の長辺及び短辺と接続するように配置することで、アンテナと各種回路の間の電磁的な干渉を低減するシールド壁として作用し、アンテナ動作、周辺のデバイス及び各種回路の良好な動作を確保できる。
【００２９】
（実施の形態２）
次に、図６を用いて、本発明の実施の形態２にかかるスロットアンテナの構造について説明する。なお、給電線４０は図１と同様であるため、省略する。本発明の実施の形態２にかかるスロットアンテナは、スロットを９０度に折り曲げることにより、スロットをＬ字の形状にすることを特徴としており、これ以外は実施の形態１の構成と同様である。開放端から導体板３０方向の切れ込みの距離をｄ３とし、導体板３０に平行に位置する切れ込みの距離をｄ４とする。この場合、ｄ３＋ｄ４の距離を１／４波長とする周波数で共振が生じる。また、これとは別の共振として、導体板１０、２０、３０で構成されたコの字型のキャビティ構造に沿って電流が励起され、コの字型構造の開放端側で電界が最大となり、導体板３０の配置した側で電界が最小となるような定在波が生じる。その共振周波数は導体板１０においてスロット開放端のある辺から導体板３０までの距離ｄ２を１／４波長とした周波数となる。
【００３０】
以上説明したように、本発明の実施の形態２にかかるスロットアンテナを用いると、スロット部分の作用による共振と、導体板１０乃至３０で形成されたキャビティ構造の作用による共振が得られ、複共振化が実現できる。またこの２つの共振のうち、スロットに起因した共振については、スロットの距離を長くとることができるので、より低い周波数の共振が得られる。
【００３１】
（実施の形態３）
次に、図７を用いて本発明の実施の形態３にかかるスロットアンテナの構造について説明する。なお、給電線４０は図１と同様であるため、省略する。本発明の実施の形態３にかかるスロットアンテナは、導体板１０の１辺であり、前記第３の導体板と接続されている一辺と前記開放端を有する一辺以外の一辺であって前記切れ込みに近い側の辺に、開放端を有するスロットを設けることを特徴としている。新たに設けられたスロットにより、ｄ２の長さを調整する。つまり、距離ｄ２に、切れ込みの長さｄ５を考慮することにより、距離ｄ２は、ｄ２＋２×ｄ５となる。これにより、ｄ２＋２×ｄ５の距離を１／４波長とする周波数で共振する。
【００３２】
以上説明したように、本発明の実施の形態３にかかるスロットアンテナを用いると、新たに採用した切れ込みを用いてその寸法を調整することにより、スロットに起因する共振に影響を与えることなく、導体板１０乃至３０の構造により得られる共振周波数を任意に調整することができる。本実施例のアンテナ構造を電子機器に適用する場合、電子機器を構成する金属部品、例えば金属製のフレームや強度保持用の金属板を併用することが考えられる。機器デザインや実装条件の関係上、アンテナと併用するこれら金属部品の位置等に関して設計変更が生じると、アンテナの共振周波数も大きく変化してしまい、所望の共振周波数が得られなくなる。これに対して本実施例の様な切れ込みを用いることで電子機器の設計変更に対しても切れ込みの位置、長さを適宜調整することで所望の共振周波数を容易に得られるという利点がある。
【００３３】
（実施の形態４）
次に、図８を用いて本発明の実施の形態４にかかる電子機器の構造について説明する。本発明の実施の形態４にかかる電子機器は、表示部１００と、表示部１００の周囲にフレームを備える金属製の表示筺体１１０と、キー入力部１３０を備える金属製の本体筺体１４０と、表示筺体１１０と本体筺体１４０とが対向する方向に回転動作を行うことを可能にするヒンジ部１２０と、表示筺体１１０の左右に配置されたスロットアンテナ１５０及び１６０を備えている。
【００３４】
ここで、スロットアンテナ１５０または１６０は前述の実施の形態１乃至３のいずれかひとつの形態でであって、スロットアンテナ１５０と１６０の取り得る形態は、両者が同じ形態であっても異なる形態であっても良く、実施の形態１乃至３の範囲においていずれの組み合わせであっても良い。また、本発明のスロットアンテナの構成物である導体板１０から３０は、それぞれがスロットアンテナの構成部品として電子機器に組み込んだ構成であっても良い。あるいは導体板１０から３０は、電子機器の金属構成物と併用した構成であっても良い。例えばＬＣＤ（Liquid Crystal Display）保持用の金属フレームを導体板３０として併用しても良い。その他の例としては、表示筐体の強度保持用の金属製の天板を導体板１０または２０として併用しても良い。
【００３５】
スロットアンテナ１５０及び１６０は表示筺体１１０ではなく本体筺体１４０に備えられてもよく、表示筺体１１０と本体筺体１４０の両方に備えられてもよい。
【００３６】
ヒンジ部１２０は、表示部１００とキー入力部１３０が対向するように表示筺体１１０と本体筺体１４０を合わせる動作をすることもでき、表示部１００を有さない表示筺体１１０の面、つまり表示筺体１１０の背面と、キー入力部１３０を合わせるいわゆるタブレット状に開くように動作することもできる。
【００３７】
スロットアンテナを金属製の表示筺体１１０に備えることにより、表示筺体１１０に設けられたスロットアンテナは、無線回路（図示せず）から電力が供給され、励振される。また、スロットの長さが１／４波長となる周波数で共振する。またスロットアンテナを構成する導体板１０乃至３０の構造より、距離ｄ２が１／４波長となる周波数で共振する。アンテナで励振されたこれら電流はアンテナおよび金属筐体全体に流れ、これら電流が放射源となるよう金属筐体自身が放射導体として作用する。その放射パターンは、スロットを配置した側に指向性を有するものとなり、アンテナの指向性を変えた複数のスロットアンテナを組み合わせて機器に搭載することにより、任意の方向に指向性を有するアンテナが形成できる。
【００３８】
次に、図９を用いて表示筺体１１０を図８のＢの方向から見たときの構成図について説明する。表示筺体１１０は、表示部１００と、スロットを有する金属板１７０及び１７１と、金属板１８０と１８１と、フレーム１９０と１９１を備えるものである。金属板１７０及び１７１は、図１の導体板１０に対応するものである。金属板１８０及び１８１は、図１の導体板２０に対応するものである。フレーム１９０及び１９１は図１の導体板３０に対応するものである。
【００３９】
金属板１７０と１８０は対向するように配置され、その間にフレーム１９０が接続されている。同様に金属板１７１と１８１は対向するように配置され、フレーム１９１が接続されている。スロットを有する金属板１７１は、表示部１００を有する面に配置され、スロットを有する金属板１７０は、表示部１００の背面側に配置される。また、金属板１７０と金属板１７１は、表示部１００を挟み左右に配置される。
【００４０】
ここで、表示筺体１１０をタブレット状に開いたときに、スロットを有する金属板１７１は、対向する金属板１８１により本体筺体１４０の金属の影響を遮断するように作用するため、スロットを有する金属板１７１は、本体筺体１４０の金属の影響を受けずに動作する。
【００４１】
また、表示筺体１１０の表示部１００をしまうように閉じたとき、つまり表示部１００とキー入力部１３０を対向するように閉じたときに、スロットを有する金属板１７０は、対向する金属板１８０により本体筺体１４０の金属の影響を遮断するように作用するため、スロットを有する金属板１７０は、本体筺体１４０の金属の影響を受けずに動作する。
【００４２】
また、金属板１７０、金属板１８０及びフレーム１９０、又は、金属板１７１、金属板１８１及びフレーム１９１によって新たに形成された共振回路は、表示筺体を開いたとき、閉じたとき、タブレット上に開いたときの何れの状態でも本体筺体１４０の金属の影響を受けない構成である。本体筺体１４０の金属と表示筺体１１０の金属が重なった場合においても、図２に示す形状は維持されるからである。従って本実施例の電子機器は、表示筺体を開いたとき、閉じたとき、タブレット上に開いたときの何れの状態でもアンテナが動作しているので無線機能を損なうことは無い。
【００４３】
また、表示部１００の左右に配置した金属板１７０及び金属板１７１のスロットの寸法、形状等を同一とし、同特性とすることで、複数アンテナを用いてデータの送受信を行うＭＩＭＯ（Multiple Input Multiple Output）等の高速大容量無線通信に対応させることが可能である。表示部１００の左右に配置した金属板１７０及び金属板１７１のスロットの寸法、形状等を異なるものにし、異なる特性を持つアンテナにすることで、電子機器は、複数の無線周波数帯に対応することも可能である。
【００４４】
以上説明したように、本発明の実施の形態４にかかる電子機器を用いることにより、スロットアンテナが備えられ、様々な方向に変化する表示筺体１１０を有する電子機器においても、無線機能を損なうことなく複数の無線周波数帯に対応した通信を実現することが可能である。また、本発明の実施の形態４においては、スロットを有する金属板の一方を表示部１００側に、他方を背面側に配置する構成を説明したが、スロットを有する金属板を表示部１００側のみに配置してもよく、背面側のみに配置してもよい。さらには表示部１００側もしくは背面側のどちらか一方に１つだけ配置してもよい。
【００４５】
（実施の形態５）
次に、図１０乃至図１２を用いて本発明の実施の形態５にかかる、電子機器の組み立て方について説明を行う。図１０Ａ及びＢは、金属筺体である表示筺体１１０の天板２００に直接スロット２１０を設けた場合の組み込み方法を示したものである。なお、図１０Ａは、表示筺体１１０の正面から見た時の構成図を示したものであり、図１０Ｂは表示筺体を上から見た時（図８のＢから見た方向）の断面図を示したものである。図１１Ａ及びＢ並びに図１２Ａ及びＢにおいても同様である。
【００４６】
初めに、細長いスロット２１０を設けた金属製の天板２００に金属製のフレーム２２０と、天板２００の外縁部に樹脂製のフレーム２３０を取り付ける。
【００４７】
次に、スロット２１０と対抗するように金属板２４０を配置する。金属板２４０は取り付けガイド２３１に従って位置決めされ、金属フレーム２２０に対して金属板２４０のねじ孔をねじ２５０によってねじ留めされる構成である。
【００４８】
次に、金属板２４０と表示部１００の上に表示部１００を保護する保護パネル２６０を貼り付け、金属製の天板２００の上にはスロット２１０を塞ぐように樹脂製の化粧板２７０を配置する。
【００４９】
図１１Ａ及びＢは、スロットを表示部側に配置する場合の組み込み方法を示した例である。
【００５０】
初めに、金属製の天板２００に、金属製のフレーム２２０と、天板２００の外縁部に樹脂製のフレーム２３０を取り付ける。
【００５１】
次に、天板２００と対向するようにスロットを設けた金属板（スロットアンテナモジュール）２１１を取り付けガイド２３１に従って位置決め、配置する。スロットアンテナモジュール２１１と金属製である天板２００の導通には板ばねやスプリングピン等の接触子２８０を用いてもよく、スロットアンテナモジュール２１１を、図１０Ｂと同様に、ねじ留めを行ってもよい。
【００５２】
次に、スロットを設けたスロットアンテナモジュール２１１の上に表示部１００を保護する保護パネル２６０を貼り付ける。
【００５３】
図１２Ａ及びＢは、樹脂製の表示筺体１１０にスロットアンテナを組み込む方法を示した例であり、スロットを設けた金属板を図１で示す形状に折り曲げたスロットアンテナモジュール２９０を取り付けガイド２２１に従って位置決めし、樹脂製のフレーム２２１及び２３０にねじ留めしたものである。その他の組み込み方法は、図１０Ａ及びＢ並びに図１１Ａ及びＢと同様である。
【００５４】
なお、本発明は上記実施の形態に限られたものではなく、趣旨を逸脱しない範囲で適宜変更することが可能である。
【００５５】
以上、実施の形態を参照して本願発明を説明したが、本願発明は上記によって限定されるものではない。本願発明の構成や詳細には、発明のスコープ内で当業者が理解し得る様々な変更をすることができる。
【００５６】
この出願は、２００９年３月３０日に出願された日本出願特願２００９−０８１４７６を基礎とする優先権を主張し、その開示の全てをここに取り込む。
【符号の説明】
【００５７】
１０、２０、３０  導体板
１００  表示部
１１０  表示筺体
１２０  ヒンジ部
１３０  キー入力部
１４０  本体筺体
１５０、１６０  スロットアンテナ
１７０、１７１、１８０、１８１  金属板
１９０、１９１  フレーム
２００  天板
２１０  スロット
２１１  スロットアンテナモジュール
２２０  金属製フレーム
２２１  樹脂製フレーム
２３０  樹脂製フレーム
２３１  取り付けガイド
２４０  金属板
２５０  ねじ
２６０  保護パネル
２７０  化粧板
２８０  スプリング
２９０  スロットアンテナモジュール
【図１】
0005477377.tif 000002
【図２】
0005477377.tif 000003
【図３】
0005477377.tif 000004
【図４】
0005477377.tif 000005
【図５】
0005477377.tif 000006
【図６】
0005477377.tif 000007
【図７】
0005477377.tif 000008
【図８】
0005477377.tif 000009
【図９】
0005477377.tif 000010
【図１０Ａ】
0005477377.tif 000011
【図１０Ｂ】
0005477377.tif 000012
【図１１Ａ】
0005477377.tif 000013
【図１１Ｂ】
0005477377.tif 000014
【図１２Ａ】
0005477377.tif 000015
【図１２Ｂ】
0005477377.tif 000016